【手続補正書】
【提出日】平成23年8月18日(2011.8.18)
【手続補正１】
【補正対象書類名】特許請求の範囲
【補正対象項目名】全文
【補正方法】変更
【補正の内容】
【特許請求の範囲】
【請求項１】
モジュール支持体（２；２．１〜２．Ｎ）を有し、このモジュール支持体（２；２．１〜２．Ｎ）上には、ボード（３０）上に配置されて異なる波長の光を放射する複数の制御可能な発光ダイオード（４；４０１〜４４３）を含む光源（３，３’）、温度センサ（３４）およびモジュール用電子装置（２０；２０．１〜２０；２）が配置された複数の照明モジュール（１；１．１〜１．Ｎ）を備えた照明装置において、
前記モジュール用電子装置（２０；２０．１〜２０．Ｎ）が、局所的かつ自律的な信号処理を行うマイクロコントローラ（６０）を含むデジタル回路を有し、異なる波長の光を放射する前記発光ダイオード（４；４０１〜４４３）で構成される混光の明度、色およびクロミナンスが一定になるように、温度に関係なく前記ＬＥＤ（４；４０１〜４４３）を駆動し、
デジタルインターフェースを介して、前記照明モジュール（１；１．１〜１．Ｎ）が、他の照明モジュール（１；１．１〜１．Ｎ）および外部のコントローラ（１０）のいずれか一方または両方に接続されて、前記温度センサ（３４）によって検出された各照明モジュール（１；１．１〜１．Ｎ）の前記ボードの温度（ＴBoard）を送信し、
中心的なマスタモジュールまたは前記外部のコントローラ（１０）が、放射面にわたって均一な明度が得られるように、前記照明モジュール（１；１．１〜１．Ｎ）を動作させることを特徴とする、照明装置。
【請求項２】
請求項１において、前記外部のコントローラ（１０）が、前記照明モジュール（１；１．１〜１．Ｎ）の全てのボードの温度（ＴBoard）を定期的にスキャンし、測定された最高温度（Ｔmax）を示す信号を、全ての照明モジュール（１；１．１〜１．Ｎ）に対して発行し、同期命令の後に、前記測定された最高温度（Ｔmax）を示す信号に基づいて明度調節を実行することを特徴とする、照明装置。
【請求項３】
請求項１または２において、デジタルシリアルインターフェース（ＳＥＲＡ／Ｂ）を介して、前記照明モジュール（１；１．１〜１．Ｎ）が、前記外部のコントローラ（１０）に接続されて、前記外部のコントローラ（１０）によって発行された色制御信号により色チャネルを駆動するために、前記照明モジュール（１；１．１〜１．Ｎ）にデータを送信し、前記照明モジュール（１；１．１〜１．Ｎ）の状態情報を較正して取り出し、前記動作プログラムをダウンロードすることを特徴とする、照明装置。
【請求項４】
請求項１から３のいずれか一項において、前記照明モジュール（１；１．１〜１．Ｎ）および上位制御調節手段（１０）が、
演色性に関して最適化された動作モードにおいて、照明目的の極めて優れた演色性を具備した白色光が発光されるように、または、
明度に関して最適化された動作モードにおいて、スタジオ、劇場および効果照明目的の高い発光強度を具備した有色光が主に発光されるように、
プラグラムされることが可能であることを特徴とする、照明装置。
【請求項５】
請求項１から４のいずれか一項において、複数の照明モジュール（１；１．１〜１．Ｎ）および前記外部のコントローラ（１０）が、ＬＥＤパネルまたはマザーボード（１８）に配置されて、複数の照明モジュール（１．１〜１．Ｎ）は前記マザーボード（１８）の開口（１８１，１８２）に挿入可能であることを特徴とする、照明装置。
【請求項６】
請求項１から５のいずれか一項において、前記光源（３，３’）の前記ボード（３０）が前記モジュール用ヒートシンク（１６）のベース部（１６１）上に配置されており、このベース部（１６１）は前記モジュール用ヒートシンク（１６）の表面よりも盛り上がっており、このベース部（１６１）を収容する前記モジュール用ヒートシンク（１６）の前記表面が、当該モジュール用ヒートシンク（１６）を前記モジュール支持体（２）に接続する締結要素（１７１，１７２）を有することを特徴とする、照明装置。
【請求項７】
請求項１から６のいずれか一項において、前記モジュール支持体（２）が、プレート状であり、かつ、
回路基板として形成されたボード（３０）またはモジュール用ヒートシンク（１６）のベース部（１６１）を挿入するための開口部と、
前記ボード（３０）用の取付孔および／またはモジュール用ヒートシンク（１６）の取付孔とを有し、
さらに、前記モジュール支持体（２）をマザーボード（１８）に接続するための接続要素を備えていることを特徴とする、照明装置。
【請求項８】
請求項１から７のいずれか一項において、前記モジュール支持体（２）が、同じような構造の複数の照明モジュール（１）をほぼ連続して並べることを可能にする外形を有しており、これにより、照明器具の発光面を形成できることを特徴とする、照明装置。
【請求項９】
請求項１から８のいずれか一項において、前記モジュール用電子装置（２０）が、前記モジュール支持体（２）に設けられた少なくとも１つの明度センサおよび／またはカラーセンサ（３６）に接続されていることを特徴とする、照明装置。
【請求項１０】
請求項１から９いずれか一項において、長期にわたる影響を監視または補償するために、フォトセンサ（１３）が前記外部のコントローラ（１０）に組み込まれていることを特徴とする、照明装置。
【請求項１１】
請求項１から１０のいずれか一項において、前記照明モジュール用電子装置（２０；２０．１〜２０．Ｎ）が、光源（３，３’）の発光ダイオード（４；４０１〜４４２）を作動させるパルス幅変調制御信号を発行し、
前記シリアルインターフェース（ＳＥＲ Ａ／Ｂ）からの所望の電流値（ＩDES）を指定することによる、前記発光ダイオード（４；４０１〜４４２）が放射する白色光または有色光の明度、
定格条件下の色チャネルの補正されていない明度を表す基本明度、
前記光源（３，３‘）の温度センサ（３４）が発行する温度信号（ＴBoard）による温度、
前記明度の温度補償のための特性曲線制御、および
熱対流に起因する明度の差を補償するために用いる、前記照明装置または前記照明モジュール（１；１．１〜１．Ｎ）の最高温度（Ｔmax）に関する信号または数値が、各色チャネルにおいて処理されることを特徴とする、照明装置。
【請求項１２】
請求項１から１１のいずれか一項において、前記モジュール用電子装置（２０）が、互いに異なる波長の光を放射する前記ＬＥＤ（４；４０１〜４４３）を別々に駆動するか、または、前記モジュール用電子装置（２０）が、同一の波長の光を放射するＬＥＤからなるＬＥＤグループの単位で前記ＬＥＤ（４；４０１〜４４３）を駆動することを特徴とする、照明装置。
【請求項１３】
請求項１から１２のいずれか一項において、前記モジュール用電子装置（２０）が、シリアルインターフェース（ＳＥＲＡ，ＳＥＲ Ｂ）を介して前記外部のコントローラ（１０）に接続されており、かつ、少なくとも１つの給電ラインを介して電圧源（ＵLED1〜ＵLED6）に接続されていることを特徴とする、照明装置。
【請求項１４】
請求項１から１３のいずれか一項において、前記モジュール用電子装置（２０）が、異なる波長の光を放射する前記ＬＥＤ（４；４０１〜４４３）の給電および／または出力制限および／または出力制御を行う回路（６７，６８，６９）を有することを特徴とする、照明装置。
【請求項１５】
請求項１から１４のいずれか一項において、前記モジュール用電子装置（２０）が、それぞれ個々のＬＥＤ（４；４０１〜４４３）を駆動するか、または同一の波長の光を放射する複数のＬＥＤ（４；４０１〜４４３）を同時に駆動する複数の駆動回路（６１〜６６）であって、同じような構造を有する複数の駆動回路（６１〜６６）を含み、かつ、
前記駆動回路（６１〜６６）が、それぞれ、パルス幅変調制御信号を出力するマイクロコントローラ（６）の出力（ＰＷＭ１〜ＰＷＭ６）にそれぞれ接続されており、前記駆動回路（６１〜６６）に１種類の供給電圧（ＵLED1〜ＵLED6）またはＮ種類の異なる供給電圧（ＵLED1〜ＵLED6）が供給されることを特徴とする、照明装置。
【請求項１６】
請求項１５において、前記駆動回路（６１〜６６）が、当該駆動回路（６１〜６６）に対する供給電圧（ＵLED1〜ＵLED6）に接続され、温度補償された定電流源（６７）を含み、
各駆動回路（６１〜６６）によって駆動される前記ＬＥＤ（４；４０１〜４４３）に一定の電流（ＩPeak, const）が供給されるように、前記ＬＥＤ（４；４０１〜４４３）に直列接続された電子スイッチ（６８）を作動することを特徴とする、照明装置。
【請求項１７】
請求項１から１６のいずれか一項において、前記ＬＥＤ（４；４０１〜４４３）が、チップオンボード技術によってボード（３０）の導体（３５）に電気的に接続されたＬＥＤチップを形成していることを特徴とする、照明装置。
【請求項１８】
請求項１から１７のいずれか一項において、前記照明モジュール（１）、および／または照明モジュールのグループに組み合わされた複数の照明モジュール（１．１〜１．Ｎ）に結合された光学要素を備えることを特徴とする、照明装置。
【請求項１９】
請求項１８において、前記光学要素（８）が、前記ＬＥＤ（４；４０１〜４４３）によって放射される光ビームを広げまたは集める、互いに調節可能な２つのマイクロレンズ板（８１，８２）を含むことを特徴とする、照明装置。
【請求項２０】
請求項１８または１９において、前記光源（３）によって放射される光ビームを集束し、かつその半値角を変更するために、第２の光学要素（８）が、モータ、空気圧または液圧によって調節可能であることを特徴とする、照明装置。
【請求項２１】
請求項１から２０のいずれか一項において、前記光源（３，３’）、および／または前記ＬＥＤ（４；４０１〜４４３）によって放射される光ビームを集める前記第１の光学要素（７）、および／または前記第２の光学要素（８）が、光を出力結合する手段に接続されていることを特徴とする、照明装置。